(57)【要約】【課題】  洗濯機を底面に設置すると洗濯機の水平が自動で調整されるため、洗濯機の設置時に別途の高さ調整が不要であり、作業が便利な洗濯機の支持装置を提供する。  また、支持装置の各フットが、底面の不均一に関係なく常に底面に接触するため、洗濯機の駆動時に発生する騷音及び振動を減少できる洗濯機の支持装置を提供する。  また、支持装置に減衰装置を装着することで、洗濯機の駆動時に発生する振動及び騷音を低減できる洗濯機支持装置を提供する。【解決手段】  洗濯機本体の下側に固定されるベースに複数個装着され、少なくとも一つ以上が上下方向移動可能な支持レッグと、前記支持レッグの下端に装着されて底面に接触するフットと、前記ベースとフットとの間に装着されて前記フットに弾性を与えるスプリングとを含む洗濯機の支持装置。【選択図】      図１
2005152659.tif 000002
【特許請求の範囲】
【請求項１】
洗濯機本体の下側に固定されるベースに複数個装着され、少なくとも一つ以上が上下方向移動可能な支持レッグと、
前記支持レッグの下端に装着されて底面に接触するフットと、
前記ベースとフットとの間に装着されて前記フットに弾性を与えるスプリングと、
を含むことを特徴とする洗濯機の支持装置。
【請求項２】
前記ベースには、前記支持レッグが上下方向移動自在に挿入される貫通孔が形成され、前記スプリングの上端を支持する取付けブラケットが装着されていることを特徴とする請求項１記載の洗濯機の支持装置。
【請求項３】
前記支持レッグの上側には、前記貫通孔から支持レッグが離脱されることを防止する離脱防止用ナットが締結されていることを特徴とする請求項２記載の洗濯機の支持装置。
【請求項４】
前記フットの上面には、前記スプリングの下端が支持されるとともに、前記支持レッグが固定される座部材が装着されていることを特徴とする請求項１記載の洗濯機の支持装置。
【請求項５】
前記スプリングは、相互に異なる弾性を有する第１スプリング及び第２スプリングを含むことを特徴とする請求項１記載の洗濯機の支持装置。
【請求項６】
前記第１スプリング及び第２スプリングは、荷重が加わらない状態でその長さ及びばね定数が相互に異なるように形成されていることを特徴とする請求項５記載の洗濯機の支持装置。
【請求項７】
前記ベースの上面には、前記支持レッグが挿入される貫通孔に異物質や埃が流入することを防止するキャップが装着されていることを特徴とする請求項２記載の洗濯機の支持装置。
【請求項８】
前記キャップは、前記貫通孔が形成されるベースの上面に固定され、かつその内部で前記支持レッグが上方に移動する程度の高さを有することを特徴とする請求項７記載の洗濯機の支持装置。
【請求項９】
前記フットと支持レッグとの間には、前記フットを支持レッグに枢軸回転自在に連結するジョイント部が装着されていることを特徴とする請求項１記載の洗濯機の支持装置。
【請求項１０】
前記ジョイント部は、支持レッグの端部に形成されるボールと、
前記ボールが転動自在に挿入される半球状の溝が形成されるとともにフットが装着される支持部材と、
前記支持部材の上側に装着されて前記ボールが支持部材から離脱されることを防止するカバーとを含むことを特徴とする請求項９記載の洗濯機の支持装置。
【請求項１１】
前記カバーは前記支持部材の上側に結合され、前記カバーの中央には前記支持レッグが通過する貫通孔と、前記ボールを転動自在に取り囲む半球状の溝とが形成されていることを特徴とする請求項１０記載の洗濯機の支持装置。
【請求項１２】
前記スプリングとベースとの間には、減衰作用をする減衰部材が装着されていることを特徴とする請求項１記載の洗濯機の支持装置。
【請求項１３】
前記ベースの下面には前記減衰部材を収容する収容溝が形成され、かつ前記減衰部材とスプリングの上面との間にはスプリング座が装着されていることを特徴とする請求項１２記載の洗濯機の支持装置。
【請求項１４】
前記ベースの下面には、前記スプリングが上下方向に圧縮変形するように誘導するガイド部材が設けられていることを特徴とする請求項１２記載の洗濯機の支持装置。
【請求項１５】
洗濯機本体の下側に固定されるベースに上下方向移動可能に装着された多数の支持レッグと、
前記支持レッグの下端に装着されて底面に接触するフットと、
前記ベースとフットとの間に装着されて前記フットに弾性を与えるスプリングと、
前記スプリングの上面及びベースの上面に装着されて、洗濯機の駆動時に発生する前記スプリングの共振を抑制して振動を低減する減衰ユニットと、を含むことを特徴とする洗濯機の支持装置。
【請求項１６】
前記減衰ユニットは、前記ベースの上面に締結され、かつ内部に空間を有して上側に支持レッグが通過する貫通孔が形成されたハウジングと、
前記ハウジングの内部に配置され、かつ前記支持レッグに締結されて前記支持レッグと共に上下方向に移動してスプリングの下端を支持する第１座部材と、
前記ハウジングの内側上部に設置されて前記スプリングの上端を支持する第２座部材と、
前記第１座部材の外周面に固定されて前記ハウジングの内周面に摩擦する摩擦部材と、を含むことを特徴とする請求項１５記載の洗濯機の支持装置。
【請求項１７】
前記ハウジングの上部内面と前記第２座部材との間には、緩衝作用をする緩衝部材が装着されていることを特徴とする請求項１６記載の洗濯機の支持装置。
【請求項１８】
前記摩擦部材は、その内周面が前記第１座部材の外周面に挟まれ、その外周面がハウジングの内周面に摩擦するように配置されていることを特徴とする請求項１６記載の洗濯機の支持装置。
【請求項１９】
前記減衰ユニットは、前記ベースの上面に締結され、かつ内部に空間を有して上側に支持レッグが通過する貫通孔が形成されるハウジングと、
前記ハウジングの下部に配置されてスプリングの下端を支持する第１座部材と、
前記ハウジングの内側上部に設置されて前記スプリングの上端を支持する第２座部材と、
前記第１座部材の下側に設置され、かつ前記支持レッグに固定されて共に上下方向に移動する支持部材と、
前記支持部材の外周面に固定されて前記ハウジングの内周面に摩擦する摩擦部材と、を含むことを特徴とする請求項１５記載の洗濯機の支持装置。
【請求項２０】
前記支持部材と第１座部材との間には、減衰作用をする減衰部材が装着されていることを特徴とする請求項１９記載の洗濯機の支持装置。
【請求項２１】
洗濯機本体の下側に固定されるベースに上下方向移動可能に装着された多数の支持レッグと、
前記支持レッグの下端に装着されて底面に接触するフットと、
前記ベースとフットとの間に装着されて前記フットに弾性を与えるスプリングと、
前記ベースの一側に装着されて、洗濯機の駆動時に前記支持レッグの上下方向移動をロッキングするロッキングユニットと、を含む洗濯機の支持装置。
【請求項２２】
前記ロッキングユニットは、前記支持レッグに対して直角方向に直線移動可能に配置され、その端が前記支持レッグの側面に密着して前記支持レッグの長手方向移動をロッキングするプッシュロッドと、
前記プッシュロッドが直線移動可能に装着され、かつ電源が印加されると前記プッシュロッドを移動させるアクチュエーターとを含むことを特徴とする請求項２１記載の洗濯機の支持装置。
【請求項２３】
前記支持レッグの側面には長手方向にテーパー溝が形成され、かつ前記プッシュロッドの端部には前記テーパー溝に挿入されるテーパー突起が形成されていることを特徴とする請求項２２記載の洗濯機の支持装置。
【請求項２４】
前記アクチュエーターは、電源が印加されるとプッシュロッドを押すソレノイドタイプであることを特徴とする請求項２２記載の洗濯機の支持装置。
【請求項２５】
前記プッシュロッドの端部には前記支持レッグの外周面から所定間隔を置いてリングが一体形成され、かつ前記リングの内周面には前記支持レッグの外周面に摩擦する摩擦部材が装着されていることを特徴とする請求項２２記載の洗濯機の支持装置。
【発明の詳細な説明】
【技術分野】
【０００１】
本発明は、洗濯機の支持装置に関し、詳しくは、別途の手動操作なしに全てのフットが底面に接触する、洗濯機の設置が便利であり、騷音及び振動を低減できる洗濯機の支持装置に関する。
【背景技術】
【０００２】
図２１は一般的な洗濯機を示した斜視図である。
一般に、洗濯機は、前方に洗濯物を出し入れする出入口１５０を開閉するドア１５２が装着されるキャビネット１５６と、前記キャビネット１５６の内部に多数の減衰器１５８により支持されて洗濯水を保存するタブ１６０と、前記タブ１６０の内部に回転自在に配置されて洗濯物の洗濯及び脱水作用をするドラム１６２と、前記タブ１６０の後方に設置され、前記ドラム１６２と駆動軸により連結されて前記ドラム１６２を回転させる駆動モータ１６４と、前記キャビネット１５６の四つの角に装着されて洗濯機全体を支持する支持装置１７０と、から構成されている。
【０００３】
図２２は従来の洗濯機の支持装置を示した断面図である。
従来の洗濯機の支持装置１７０は、前記キャビネット１５６の下面に固定されて雌ねじ部１７４が貫通形成される取付けブラケット１７２と、前記取付けブラケット１７２に螺合するように外周面に雄ねじ部１７８が形成され、締めるか外すと、上下方向に移動しながら高さが調節される支持レッグ１７６と、前記支持レッグ１７６の下端に形成されて底面に接触するフット１８０と、から構成される。
【０００４】
このような従来の洗濯機の支持装置１７０は、洗濯機を設置しようとする底面に位置した後、使用者が支持レッグ１７６を回転すると、前記支持レッグ１７６の雄ねじ部１７８が取付けブラケット１７２の雌ねじ部１７４と共に上下方向に直線移動しながら洗濯機の水平を調整する。
【発明の開示】
【発明が解決しようとする課題】
【０００５】
然るに、従来の洗濯機の支持装置は、洗濯機が設置される底面の高さが不均一である場合、使用者が支持レッグを外すか締めることで、手動で各支持装置の高さを調節して洗濯機の均衡を保持しなければならないため、調整作業が煩雑であり、特に洗濯機の設置空間が狭くて使用者の手が届きにくい場合は、支持装置の高さを調節することが困難であるという問題点があった。
【０００６】
また、支持装置の高さ調節が正確でない場合、何れか一つのフットが底面に接しないと、洗濯機の駆動時、底面に接しないフットが底面を打つことで衝撃が発生し、大きな振動及び騷音が発生するという問題点があった。
【０００７】
本発明は、このような従来の課題に鑑みてなされたもので、洗濯機の設置時に別途の高さ調整が不要であり、洗濯機を底面に設置すると洗濯機の水平が自動的で調整される、作業が便利な洗濯機の支持装置を提供することを目的とする。
また、支持装置の各フットが、底面の不均一に関係なく常に底面に接触することによって、洗濯機の駆動時に発生する騷音及び振動を減少できる洗濯機の支持装置を提供することを目的とする。
【０００８】
また、支持装置に減衰装置を装着することで、洗濯機の駆動時に発生する振動及び騷音を低減できる洗濯機の支持装置を提供することを目的とする。
【課題を解決するための手段】
【０００９】
このような目的を達成するため、本発明に係る洗濯機の支持装置は、洗濯機本体の下側に固定されるベースに少なくとも一つが上下方向移動可能に装着される多数の支持レッグと、前記支持レッグの下端に装着されて底面に接触するフットと、前記ベースとフットとの間に装着されて前記フットに弾性を与えるスプリングとを含むことを特徴とする。
【００１０】
好適には、前記ベースには前記支持レッグが上下方向移動自在に挿入される貫通孔が形成され、前記スプリングの上端を支持する取付けブラケットが装着されている。
【００１１】
好適には、前記支持レッグの上側には、前記貫通孔から支持レッグが離脱されることを防止する離脱防止用ナットが締結されている。
【００１２】
好適には、前記フットの上面には前記スプリングの下端が支持されるとともに前記支持レッグが固定される座部材が装着されている。
【００１３】
好適には、前記スプリングは、相互に異なる弾性を有する第１スプリング及び第２スプリングを含み、前記第１スプリング及び第２スプリングは、荷重が加わらない状態でその長さ及びばね定数が相互に異なるように形成されている。
【００１４】
好適形態において、前記ベースの上面には、前記支持レッグが挿入される貫通孔に異物質や埃が流入することを防止するキャップが装着されている。前記キャップは、前記貫通孔が形成されるベースの上面に固定され、かつその内部で前記支持レッグが上方に移動する程度の高さを有することが望ましい。
【００１５】
好適には、前記フットと支持レッグとの間には、前記フットを支持レッグに枢軸回転(pivot)自在に連結するジョイント部が装着され、前記ジョイント部は、支持レッグの端部に形成されるボールと、前記ボールが転動自在に挿入される半球状の溝が形成されているとともにフットが装着される支持部材と、前記支持部材の上側に装着されて前記ボールが支持部材から離脱されることを防止するカバーとを含む。
【００１６】
好適には、前記カバーは前記支持部材の上側に結合され、前記カバーの中央には前記支持レッグが通過する貫通孔と、前記ボールを転動自在に取り囲む半球状の溝とが形成されている。
【００１７】
好適には、前記スプリングとベースとの間には、減衰作用をする減衰部材が装着され、前記ベースの下面には前記スプリングが上下方向に圧縮変形するように誘導するガイド部材が設けられている。
【００１８】
好適形態において、前記ベースの下面には前記減衰部材を収容する収容溝が形成され、かつ前記減衰部材とスプリングの上面との間にはスプリング座が装着されている。
【００１９】
更に、本発明に係る他の形態の洗濯機の支持装置は、洗濯機本体の下側に固定されるベースに上下方向移動可能に装着された多数の支持レッグと、前記支持レッグの下端に装着されて底面に接触するフットと、前記ベースとフットとの間に装着されて前記フットに弾性を与えるスプリングと、前記スプリングの上面及びベースの上面に装着されて、洗濯機の駆動時に発生する前記スプリングの共振を抑制して振動を低減する減衰ユニットとを含むことを特徴とする。
【００２０】
好適には、前記減衰ユニットは、前記ベースの上面に締結され、かつ内部に空間を有して上側に支持レッグが通過する貫通孔が形成されたハウジングと、前記ハウジングの内部に配置され、かつ前記支持レッグに締結されて前記支持レッグと共に上下方向に移動してスプリングの下端を支持する第１座部材と、前記ハウジングの内側上部に設置されて前記スプリングの上端を支持する第２座部材と、前記第１座部材の外周面に固定されて前記ハウジングの内周面に摩擦する摩擦部材とを含む。
【００２１】
好適には、前記ハウジングの上部内面と前記第２座部材との間には、緩衝作用をする緩衝部材が装着されている。
【００２２】
好適には、前記摩擦部材はその内周面が前記第１座部材の外周面に挟まれ、その外周面がハウジングの内周面に摩擦するように配置されている。
【００２３】
好適形態において、前記減衰ユニットは、前記ベースの上面に締結されかつ内部に空間を有して上側に支持レッグが通過する貫通孔が形成されるハウジングと、前記ハウジングの下部に配置されてスプリングの下端を支持する第１座部材と、前記ハウジングの内側上部に設置されて前記スプリングの上端を支持する第２座部材と、前記第１座部材の下側に設置され、かつ前記支持レッグに固定されて共に上下方向に移動する支持部材と、前記支持部材の外周面に固定されて前記ハウジングの内周面に摩擦する摩擦部材とを含む。
【００２４】
前記支持部材と第１座部材との間には、減衰作用をする減衰部材が装着されていることが望ましい。
【００２５】
更に、本発明に係る他の形態の洗濯機の支持装置は、洗濯機本体の下側に固定されるベースに上下方向移動可能に装着された多数の支持レッグと、前記支持レッグの下端に装着されて底面に接触するフットと、前記ベースとフットとの間に装着されて前記フットに弾性を与えるスプリングと、前記ベースの一側に装着されて、洗濯機の駆動時に前記支持レッグの上下方向移動をロッキングするロッキングユニットとを含むことを特徴とする。
【００２６】
好適には、前記ロッキングユニットは、前記支持レッグに対して直角方向に直線移動可能に配置され、その端が前記支持レッグの側面に密着して前記支持レッグの長手方向移動をロッキングするプッシュロッドと、前記プッシュロッドが直線移動可能に装着され、かつ電源が印加されると前記プッシュロッドを移動させるアクチュエーターとを含む。
【００２７】
好適形態において、前記支持レッグの側面には長手方向にテーパー溝が形成され、かつ前記プッシュロッドの端部には前記テーパー溝に挿入されるテーパー突起が形成されている。
【００２８】
前記アクチュエーターは、電源が印加されるとプッシュロッドを押すソレノイドタイプであってよい。
【００２９】
好適形態において、前記プッシュロッドの端部には前記支持レッグの外周面から所定間隔を置いてリングが一体形成され、かつ前記リングの内周面には前記支持レッグの外周面に摩擦する摩擦部材が装着されている。
【発明の効果】
【００３０】
本発明に係る洗濯機の支持装置は、洗濯機を底面に設置すると、スプリングの弾性により洗濯機の水平が自動的で調整されるために、洗濯機の設置時に別途の高さ調整が不要であり、作業が便利であるという効果がある。
【００３１】
また、支持装置の各フットが、スプリングの弾性により底面の不均一に関係なく常に底面に接触するために、洗濯機の駆動時に発生する騷音及び振動を減少できるという効果がある。
【００３２】
また、支持装置に減衰ユニットを備えることで、洗濯機の駆動時に発生する振動及び騷音を低減できるという効果がある。
【発明を実施するための最良の形態】
【００３３】
以下、本発明の実施形態に関し、図面に基づいて説明する。
図１及び図２は本発明の第１実施形態に係る洗濯機の支持装置を示した斜視図であり、図３は本発明の第１実施形態に係る洗濯機の支持装置を示した断面図である。
【００３４】
第１実施形態に係る洗濯機の支持装置は、キャビネット１５６の下側に固定され、四つの角部に垂直方向に貫通孔１８がそれぞれ形成されたベース１０と、前記ベース１０の貫通孔１８に上下方向に直線移動自在に挿入される支持レッグ１２と、前記支持レッグ１２の下端に装着されて底面に接触するフット１４と、前記ベース１０とフット１４との間に装着されてフット１４に所定弾性を与えるスプリング１６と、から構成される。
【００３５】
前記ベース１０の下側には、支持レッグ１２が通過する貫通孔１８が形成され、スプリング１６の上端を支持する取付けブラケット２０が装着される。前記取付けブラケット２０は、スプリング１６の上端を支持する程度の剛性を有する金属材質により形成される。
【００３６】
前記支持レッグ１２は、貫通孔１８に挿入されて上下方向のみに移動し、左右方向には移動しないようにする。また、前記支持レッグ１２は、ベース１０の上側に突出されるとともに、取付けブラケット２０の下側方向に突出される程度の長さを有し、その上部には、前記支持レッグ１２がベース１０から離脱することを防止する離脱防止用ナット２２が締結される。
【００３７】
前記フット１４は、平板状に形成されており、底面に接触して滑りを防止するゴム材料により形成される。また、前記フット１４の上面には、支持レッグ１２が固定されるとともに、前記スプリング１６の下端を支持する座部材２４が固定される。
【００３８】
前記スプリング１４は、フット１４に弾性を与えるコイルスプリングにより形成され、その一端が前記取付けブラケット２０の下端に支持され、他端は前記フット１４に固定された座部材２４に支持される。
【００３９】
以下、このように構成される本発明の第１実施形態に係る洗濯機の支持装置の作用を説明する。
まず、洗濯機を設置場所に配置すると、ベース１０の四つの角部に装着された支持装置により底面に対して洗濯機が支持され、前記底面の高さが不均一である場合も、使用者が支持装置を別途に操作することなく、支持装置それ自体により洗濯機の均衡が維持される。
【００４０】
前記支持装置の作用を詳しく説明すると、洗濯機を設置場所に配置すると各フット１４が底面にそれぞれ接触し、洗濯機の荷重によりスプリング１６が圧縮されながら支持レッグ１２の長さが調節されて洗濯機の均衡を一定に維持する。このとき、底面が不均一であれば、支持レッグ１２が上下方向に移動しながら洗濯機の均衡を維持し、前記スプリングの弾性によりフット１４が不均一な底面に接触した状態を維持する。
【００４１】
図４は本発明の第２実施形態に係る洗濯機の支持装置を示した斜視図であり、図５は本発明の第２実施形態に係る洗濯機の支持装置を示した断面図である。
第２実施形態に係る洗濯機の支持装置は、ベース１０に形成された貫通孔１８に上下方向移動自在に挿入される支持レッグ１２と、前記支持レッグ１２の端部に装着されて底面に接触するフット１４と、前記ベース１０の下面に装着された取付けブラケット２０とフット１４との間に装着されかつ相互に異なる弾性を有する二つのスプリング２８、３０と、から構成される。
【００４２】
前記二つのスプリング２８、３０は、比較的大きな弾性を有する第１スプリング２８と、前記第１スプリング２８に比べて小さい弾性を有する第２スプリング３０とで構成される。
【００４３】
前記第１スプリング２８は取付けブラケット２０とフット１４の上面との間に装着されるコイルスプリングにより構成されており、第２スプリング３０は、取付けブラケット２０と前記フット１４の上面に固定されて前記支持レッグ１２に連結される座部材２４との間に装着されるコイルスプリングにより構成されかつ前記第１スプリング２８の内側に配置される。
【００４４】
ここで、前記第２スプリング３０は、荷重が作用しないとき 第１スプリング２８よりも長さ及びばね定数が小さい。
【００４５】
第１スプリング２８は、洗濯機の荷重を弾性的に支持する役割をし、第２スプリング３０は、洗濯機が設置される底面が不均一である場合、全てのフット１４が底面に接触するようにフット１４に弾性を与える役割をする。
【００４６】
また、洗濯機は、ばね定数が互いに異なる第１スプリング２８及び第２スプリング３０により支持されるため、洗濯機の駆動時に発生する振動を効果的に吸収することができる。即ち、第１スプリング２８及び第２スプリング３０は、荷重を受けない状態で長さ及びばね定数が互いに異なるので、洗濯機が駆動されると、第１スプリング２８及び第２スプリング３０が共に洗濯機の荷重を受けることにより、前記洗濯機の駆動時に振動のピーク値が発生する周波数帯域を変える。
【００４７】
このように構成される第２実施形態に係る洗濯機の支持装置は、洗濯機の設置場所の底面が不均である場合も、全てのフット１４が第２スプリング３０の弾性により底面に接触し、第１スプリング２８の弾性により洗濯機の荷重を弾性的に支持して洗濯機の均衡を維持する。
【００４８】
また、第１スプリング２８及び第２スプリング３０が互いに異なるばね定数を有し、荷重を受けない時の長さが互いに異なるため、洗濯機の駆動時、振動のピーク値が発生する周波数帯域を変えることにより、大きな振動及び騷音の発生を防止する。
【００４９】
図６は本発明の第３実施形態に係る洗濯機の支持装置を示した断面図である。
第３実施形態に係る洗濯機の支持装置は、第１実施形態と構造が同一であるが、前記支持レッグ１２が上下方向移動自在に挿入される貫通孔１８に異物質及び埃が流入することを防止するためのキャップ３４が支持装置の上側に装着される点で異なる。
【００５０】
即ち、第３実施形態に係る洗濯機の支持装置のキャップ３４は、前記支持レッグ１２が締結される離脱防止用ナット２２上を覆ってベース１０の上面に固定される。また、前記キャップ３４は、前記支持レッグ１２が充分に上方に移動する程度の高さを有する。
【００５１】
図７は本発明の第４実施形態に係る洗濯機の支持装置を示した斜視図であり、図８は本発明の第４実施形態に係る洗濯機の支持装置を示した断面図であり、図９は図８のXI-XI線断面図であり、図１０は本発明の第４実施形態に係る洗濯機の支持装置を示した作動状態図である。
【００５２】
第４実施形態に係る洗濯機の支持装置は、四つの角部に垂直方向に貫通孔１８がそれぞれ形成されるベース１０と、前記ベース１０の貫通孔１８に上下方向に直線移動可能に挿入される支持レッグ１２と、前記支持レッグ１２の下端に回転可能に装着されて底面に接触するフット１４と、前記ベース１０とフット１４との間に装着されてフット１４に所定弾性を与えるスプリング１６と、前記フット１４と支持レッグ１２との間に形成されて前記フット１４を支持レッグ１２に枢軸回転(pivot)自在に連結するジョイント部４０とを含む。
【００５３】
前記ジョイント部４０は、図９に示したように、支持レッグ１２の端部に形成されるボール４２と、前記ボール４２が転動自在に挿入される半球状の溝４４が形成されるとともにフット１４が装着される支持部材４６と、前記支持部材４６の上側に装着されて前記ボール４２が支持部材４６から離脱されることを防止するように前記ボール４２の上端を取り囲むカバー４８と、から構成される。
【００５４】
前記支持部材４６は、上面中央に半球状の溝４４が形成され、その下面にゴム材質のフット１４が固定される。
【００５５】
前記カバー４８は、前記支持部材４６の上側に結合されており、中央には、前記支持レッグ１２が通過する貫通孔５０と、前記ボール４２を転動自在に取り囲む半球状の溝５２と、が形成される。
【００５６】
以下、このように構成される第４実施形態に係る洗濯機の支持装置の作用を説明すると、洗濯機が設置される底面に傾斜面５４が存在すると、図１０に示したように、支持レッグ１２に形成されたボール４２が支持部材４６の半球状の溝４４で転動するとともに支持部材４６が回転することによって、前記フット１４の下面全体が傾斜面５４に面接触して洗濯機が安定的に支持される。
【００５７】
図１１は本発明の第５実施形態に係る洗濯機の支持装置を示した斜視図であり、図１２は本発明の第５実施形態に係る洗濯機の支持装置を示した断面図である。
第５実施形態に係る洗濯機の支持装置は、ベース１０の貫通孔１８に上下方向に直線移動可能に挿入される支持レッグ１２と、前記支持レッグ１２の下端に装着されて洗濯機が設置される底面に接触するフット１４と、前記フットを弾性的に支持するスプリング１６と、ベース１０の上面に装着され、洗濯機の駆動時に発生する前記スプリング１６の共振を抑制して振動を低減する減衰ユニット６０とを含む。
【００５８】
前記減衰ユニット６０は、ベース１０の上面に締結されて内部に空間を有し、上側に支持レッグ１２が通過する貫通孔６２が形成されるハウジング６４と、前記ハウジング６４の内部に配置され前記支持レッグ１２に締結されて前記支持レッグ１２と共に上下方向に移動するとともにスプリング１６の下端を支持する第１座部材６６と、前記ハウジング６４の内部上側に上下移動可能に設置されて前記スプリング１６の上端を支持する第２座部材６８と、前記第１座部材６６の外周面に固定されて前記ハウジング６４の内周面と摩擦する摩擦部材７０と、前記ハウジング６４の上側面と前記第２座部材６８との間に装着されて緩衝作用をする緩衝部材７２とを含む。
【００５９】
前記ハウジング６４は、下側が開放された円筒状に形成され、下端にフランジが形成されてベース１０の上面にボルト７４により締結される。また、前記第１座部材６６は、円盤状に形成されており、その上側にスプリング１６の下端が支持され、その外周面には摩擦部材７０が挟まれる。
【００６０】
前記緩衝部材７２は、前記ハウジングの上側内面に設置されて衝撃及び振動を吸収するゴム材料により形成される。
【００６１】
前記摩擦部材７０は、第１座部材６６の外周面に固定され、前記ハウジング６４の内周面に摩擦することによって減衰作用を行い、摩擦時に摩耗が発生しない程度の充分な強度を有する材料により形成される。
【００６２】
以下、このように構成される第５実施形態に係る洗濯機の支持装置の作用を説明する。
まず、洗濯機を設置場所に配置すると、ベース１０の四つの角部に装着された支持装置によって底面に洗濯機が支持される。ここで、前記底面の高さが不均一である場合は、支持レッグ１２が上下方向に移動しながら全てのフット１４が底面に接触し、スプリング１６の弾性により洗濯機の均衡を維持する。
【００６３】
このような状態で洗濯機が駆動されると、ハウジング６４の内部に装着された緩衝部材７２が洗濯機から発生する振動を吸収し、洗濯機の振動が底面に伝達されることを低減するとともに、スプリング１６を支持する第１座部材６６の外周面に装着された摩擦部材７０がハウジング６４の内周面に摩擦することことにより、スプリング１６の共振を抑制して減衰機能を発揮し、洗濯機の振動を低減する。
【００６４】
図１３は本発明の第６実施形態に係る洗濯機の支持装置を示した断面図である。
第６実施形態に係る洗濯機の支持装置は、第５実施形態の洗濯機の支持装置と同一であるが、緩衝部材７６がハウジング６４の下側に位置される点で異なる。
【００６５】
即ち、第６実施形態に係る洗濯機の支持装置の減衰ユニットは、ハウジング６４の内部下側に配置されてスプリング１６の下端を支持する第１座部材７８と、前記ハウジング６４の内部上側に配置されてスプリング１６の上端を支持する第２座部材８０と、支持レッグ１２に締結され、前記ハウジング６４の内周面と摩擦する摩擦部材８２が外周面に装着された支持部材８４と、前記支持部材８４と第１座部材７８との間に装着されて衝撃及び振動を吸収する緩衝部材７６とを含む。
【００６６】
図１４は本発明の第７実施形態に係る洗濯機の支持装置を示した断面図である。
第７実施形態に係る洗濯機の支持装置は、ベース１０に形成された貫通孔１８に上下方向に直線移動可能に挿入される支持レッグ１２と、前記支持レッグ１２の下端に装着されて洗濯機が設置される底面に接触するフット１４と、前記フット１４の上面と前記ベース１０の下面に設置した座部材９０との間に装着されて前記フット１４を弾性的に支持するスプリング１６と、前記座部材９０とベース１０の下面との間に設置されて減衰作用をする減衰部材９２とを含む。
【００６７】
ここで、前記ベース１０の下面には、前記減衰部材９２及び座部材９０を収容する収容溝９６が形成される。また、前記ベース１０の下面には、スプリング１６が上下方向に圧縮変形するように誘導するガイド部材９４が設けられる。
【００６８】
前記ガイド部材９４はその中央にスプリング１６が通過する貫通孔９８を有し、前記貫通孔９８の周面が下方に延長していて前記スプリング１６が上下方向に圧縮変形するように誘導する。
【００６９】
前記座部材９０は、円盤状に形成されており、支持レッグ１２が通過するように中央が開放され、その上面は減衰部材９２に接触し下面はスプリング１６の上端に支持されることにより、前記スプリング１６の弾性が前記減衰部材９２の全面に均一に作用する。
【００７０】
前記減衰部材９２は、振動や衝撃を吸収する材料により形成され、洗濯機の駆動時に発生する振動を低減する。
【００７１】
このように構成される第７実施形態に係る洗濯機の支持装置は、底面が不均一である場合も、スプリング１６の弾性により全てのフット１４が底面に接触する。また、減衰部材９２の減衰作用により、洗濯機の駆動時に発生する振動及び衝撃を低減する。
【００７２】
図１５は本発明の第８実施形態に係る洗濯機の支持装置を示した斜視図であり、図１６は本発明の第８実施形態に係る洗濯機の支持装置を示した断面図であり、図１７は図１６のV-V線断面図であり、図１８は本発明の第８実施形態に係る洗濯機の支持装置を示した作動状態図である。
【００７３】
第８実施形態に係る洗濯機の支持装置は、ベース１０の貫通孔１８に上下方向に直線移動可能に挿入される支持レッグ１２と、前記支持レッグ１２の下端に装着されて底面に接触するフット１４と、前記ベース１０とフット１４との間に装着されてフット１４に所定弾性を与えるスプリング１６と、前記ベース１０の一側に装着されて前記支持レッグ１２の上下方向移動をロッキングするロッキングユニット１０２とを含む。
前記ロッキングユニット１０２は、前記支持レッグ１２に対して直角方向に直線移動可能に配置され、その端が前記支持レッグ１２の側面に密着して前記支持レッグ１２の長手方向移動をロッキングするプッシュロッド１０４と、前記プッシュロッド１０４が直線移動可能に装着され、電源が印加されると前記プッシュロッド１０４を移動させるアクチュエーター１０６とを含む。
【００７４】
前記ベース１０の上面には、前記アクチュエーター１０６が装着される装着部１１２が設けられる。
【００７５】
前記支持レッグ１２の側面には、長手方向にテーパー溝１０８が形成され、前記プッシュロッド１０４の端部には、前記テーパー溝１０８へ挿入するテーパー突起１１０が形成され、それによりプッシュロッド１０４と支持レッグ１２との間の接触面積が大きくなり、前記支持レッグ１２のロッキング作用が円滑に行われる。
【００７６】
前記アクチュエーター１０６は、電源が印加されるとプッシュロッド１０４を押すソレノイドタイプが適用されるか、電源が印加されると熱膨張しながらプッシュロッドを押すサーモアクチュエーター(thermo-actuator)が適用される。
【００７７】
以下、このように構成される第８実施形態に係る洗濯機の支持装置の作用を説明する。
まず、洗濯機を設置場所に配置するとき、底面が不均一である場合には、前記スプリング１６の弾性により各支持レッグ１２が上下方向に移動しながら洗濯機の均衡を維持し、フット１４が不均一な底面に接触した状態を維持する。
【００７８】
このような状態で洗濯機が駆動されると、アクチュエーター１０６に電源が印加され、プッシュロッド１０４が直線移動しながら支持レッグ１２の側面を加圧する。即ち、支持レッグ１２のテーパー溝１０８にプッシュロッド１０４のテーパー突起１１０が嵌合して支持レッグ１２の移動をロッキングする。すると、スプリング１６の共振が抑制され、スプリング１６の共振による振動を低減する。
【００７９】
図１９は本発明の第９実施形態に係る洗濯機の支持装置を示した断面図であり、図２０は図１９のVI-VI線断面図である。
第９実施形態に係る洗濯機の支持装置は、第８実施形態の洗濯機の支持装置と同一であるが、ロッキングユニットの構造が異なる。
【００８０】
前記第９実施形態に係るロッキングユニットは、前記支持レッグ１２に対して直角方向に直線移動可能に配置されるプッシュロッド１０４と、前記プッシュロッド１０４の端部に一体的に形成されかつ前記支持レッグ１６の外周面から所定間隔を置いて配置されるリング１２０と、前記リング１２０の内周面に装着されて前記支持レッグ１６の外周面に摩擦する摩擦部材１２２と、前記プッシュロッド１０４が直線移動可能に装着されかつ電源が印加されると前記プッシュロッド１０４を直線移動させるアクチュエーター１０６とを含む。
【００８１】
このような第９実施形態に係る洗濯機の支持装置は、洗濯機の駆動により前記アクチュエーター１０６が駆動すると、プッシュロッド１０４が直線移動することによりリング１２０が直線移動し、前記リング１２０の内周面に装着された摩擦部材１２２が前記支持レッグ１２の外周面に密着して前記支持レッグ１２の移動をロッキングする。
【図面の簡単な説明】
【００８２】
【図１】本発明の第１実施形態に係る洗濯機の支持装置を示した斜視図である。
【図２】本発明の第１実施形態に係る洗濯機の支持装置を示した斜視図である。
【図３】本発明の第１実施形態に係る洗濯機の支持装置を示した断面図である。
【図４】本発明の第２実施形態に係る洗濯機の支持装置を示した斜視図である。
【図５】本発明の第２実施形態に係る洗濯機の支持装置を示した断面図である。
【図６】本発明の第３実施形態に係る洗濯機の支持装置を示した断面図である。
【図７】本発明の第４実施形態に係る洗濯機の支持装置を示した斜視図である。
【図８】本発明の第４実施形態に係る洗濯機の支持装置を示した断面図である。
【図９】図８のXI-XI線断面図である。
【図１０】本発明の第４実施形態に係る洗濯機の支持装置を示した作動状態図である。
【図１１】本発明の第５実施形態に係る洗濯機の支持装置を示した斜視図である。
【図１２】本発明の第５実施形態に係る洗濯機の支持装置を示した断面図である。
【図１３】本発明の第６実施形態に係る洗濯機の支持装置を示した断面図である。
【図１４】本発明の第７実施形態に係る洗濯機の支持装置を示した断面図である。
【図１５】本発明の第８実施形態に係る洗濯機の支持装置を示した斜視図である。
【図１６】本発明の第８実施形態に係る洗濯機の支持装置を示した断面図である。
【図１７】図１６のV-V線断面図である。
【図１８】本発明の第８実施形態に係る洗濯機の支持装置を示した作動状態図である。
【図１９】本発明の第９実施形態に係る洗濯機の支持装置を示した断面図である。
【図２０】図１９のVI-VI線断面図である。
【図２１】一般的な洗濯機を示した断面図である。
【図２２】従来の洗濯機の支持装置を示した断面図である。
【符号の説明】
【００８３】
１０    ベース
１２    支持レッグ
１４    フット
１６    スプリング
１８    貫通孔
２０    取付けブラケット
２２    離脱防止用ナット
２４    座部材
【図１】
2005152659.tif 000003
【図２】
2005152659.tif 000004
【図３】
2005152659.tif 000005
【図４】
2005152659.tif 000006
【図５】
2005152659.tif 000007
【図６】
2005152659.tif 000008
【図７】
2005152659.tif 000009
【図８】
2005152659.tif 000010
【図９】
2005152659.tif 000011
【図１０】
2005152659.tif 000012
【図１１】
2005152659.tif 000013
【図１２】
2005152659.tif 000014
【図１３】
2005152659.tif 000015
【図１４】
2005152659.tif 000016
【図１５】
2005152659.tif 000017
【図１６】
2005152659.tif 000018
【図１７】
2005152659.tif 000019
【図１８】
2005152659.tif 000020
【図１９】
2005152659.tif 000021
【図２０】
2005152659.tif 000022
【図２１】
2005152659.tif 000023
【図２２】
2005152659.tif 000024